(57)【要約】【課題】本考案は、トイレ内の景観を損ねることなくトイレ内に据え置くことが可能であり、通常は芳香剤として機能し、所望とするときに内部収容の洗浄剤をトイレ掃除に用いることが可能となるトイレ用の芳香剤・洗浄剤用容器を提供することを目的とする。【解決手段】本考案のトイレ用の芳香剤・洗浄剤用容器は、洗浄剤１１を収容する洗浄剤収容部３と、洗浄剤収容部３の側面に設けられ洗浄剤噴出用の噴出口４と、洗浄剤収容部３の上に、洗浄剤収容部３の上面より突出した支柱３０を中心に回転自在に配設され、芳香剤１０を収容する芳香剤収容部２とを備えたことを特徴とする。【選択図】  図３
0003161552.tif 000002
【実用新案登録請求の範囲】
【請求項１】
洗浄剤を収容する洗浄剤収容部と、
上記洗浄剤収容部の側面に設けられた洗浄剤噴出用の噴出口と、
上記洗浄剤収容部の上に、上記洗浄剤収容部の上面より突出した支柱を中心に回転自在に配設され、芳香剤を収容する芳香剤収容部とを備えたこと
を特徴とするトイレ用の芳香剤・洗浄剤用容器。
【請求項２】
上記芳香剤収容部の一側面は曲面となっており、更に上記洗浄剤収容部の上記噴出口を被覆するように下方に延びており、上記芳香剤収容部を上記支柱を中心に９０度回転させたときに、当該噴出口が露呈するよう構成されていること
を特徴とする請求項１に記載のトイレ用の芳香剤・洗浄剤用容器。
【請求項３】
上記噴出口は、筒状保持部と、当該筒状保持部の中に配設された弾性部材と、当該弾性部材の付勢力により通常の状態では筒状保持部から突出する筒状部材とからなること
を特徴とする請求項１に記載のトイレ用の芳香剤・洗浄剤用容器。
【請求項４】
上記洗浄剤収容部の上面には、洗浄剤補充用の開口部が設けられていること
を特徴とする請求項１に記載のトイレ用の芳香剤・洗浄剤用容器。
【請求項５】
上記洗浄剤は粉末状或いは液体状であり、
上記芳香剤は固形状であること
を特徴とする請求項１に記載のトイレ用の芳香剤・洗浄剤用容器。
【請求項６】
洗浄剤を収容する洗浄剤収容部と、
上記洗浄剤収容部の側面に設けられた洗浄剤噴出用の噴出口と、
上記洗浄剤収容部の上に、上記洗浄剤収容部の上面より突出した支柱を中心に回転自在に配設され、芳香剤を収容する芳香剤収容部とを備え、
上記芳香剤収容部の一側面は曲面となっており、更に上記洗浄剤収容部の上記噴出口を被覆するように下方に延びており、上記芳香剤収容部を上記支柱を中心に９０度回転させたときに、当該噴出口が露呈するよう構成されており、
上記噴出口は、筒状保持部と、当該筒状保持部の中に配設された弾性部材と、当該弾性部材の付勢力により通常の状態では筒状保持部から突出する筒状部材とからなり、
上記洗浄剤収容部の上面には、洗浄剤補充用の開口部が設けられていること
を特徴とするトイレ用の芳香剤・洗浄剤用容器。
【考案の詳細な説明】
【技術分野】
【０００１】
本考案は、トイレ内を芳香する芳香剤と掃除時に用いられる洗浄剤とを収容することが可能なトイレ用の芳香剤・洗浄剤用容器に関する。
【背景技術】
【０００２】
従来、トイレ室内に芳香を与えるために芳香剤が一般的に用いられている。さらに、トイレ内には、トイレ掃除時に用いる洗浄剤が置かれることがある。しかし、トイレ用の洗浄剤の容器は、トイレ内の景観を損ねるといった問題があった。
【０００３】
ここで、例えば、特許文献１では、一つの容器体内に、トイレ用水中の有効塩素を分解する香料成分を含有しない洗浄剤を水との接触によりトイレ用水中に溶出可能に収納すると共に、芳香剤を水との接触を防止しつつ芳香可能に収納したことを特徴とする貯水タンク載置型水洗トイレ用洗浄・芳香器が開示されている。
【先行技術文献】
【特許文献】
【０００４】
【特許文献１】特開平９−２５４２号公報
【考案の概要】
【考案が解決しようとする課題】
【０００５】
しかしながら、特許文献１により開示された技術は、貯水タンク載置型の洗浄・芳香器であり、洗浄剤は水との接触によりトイレ用水中に溶出されて初めてその効果を発揮するものであって、一般的なトイレ用の洗浄剤のように、便器の所望とする部位にかけてブラシ等で掃除をする用途には用いることができないものであった。
【０００６】
そこで、本考案は上述の技術的な課題に鑑み、トイレ内の景観を損ねることなくトイレ内に据え置くことが可能であり、通常は芳香剤による芳香機能を発揮し、所望とするときに内部収容の洗浄剤をトイレ掃除に用いることが可能なトイレ用の芳香剤・洗浄剤用容器を提供することを目的とする。
【課題を解決するための手段】
【０００７】
上記技術的な課題を解決するため、本考案の第１の態様によるトイレ用の芳香剤・洗浄剤用容器は、洗浄剤を収容する洗浄剤収容部と、上記洗浄剤収容部の側面に設けられた洗浄剤噴出用の噴出口と、上記洗浄剤収容部の上に、上記洗浄剤収容部の上面より突出した支柱を中心に回転自在に配設され、芳香剤を収容する芳香剤収容部とを備えたことを特徴としている。
【０００８】
さらに、上記技術的な課題を解決するため、本考案の第２の態様によるトイレ用の芳香剤・洗浄剤用容器は、洗浄剤を収容する洗浄剤収容部と、上記洗浄剤収容部の側面に設けられた洗浄剤噴出用の噴出口と、上記洗浄剤収容部の上に、上記洗浄剤収容部の上面より突出した支柱を中心に回転自在に配設され、芳香剤を収容する芳香剤収容部とを備え、上記芳香剤収容部の一側面は曲面となっており、更に上記洗浄剤収容部の上記噴出口を被覆するように下方に延びており、上記芳香剤収容部を上記支柱を中心に９０度回転させたときに、当該噴出口が露呈するよう構成されており、上記噴出口は、筒状保持部と、当該筒状保持部の中に配設された弾性部材と、当該弾性部材の付勢力により通常の状態では筒状保持部から突出する筒状部材とからなり、上記洗浄剤収容部の上面には、洗浄剤補充用の開口部が設けられていることを特徴としている。
【考案の効果】
【０００９】
本考案に係るトイレ用の芳香剤・洗浄剤用容器によれば、トイレ内の景観を損ねることなくトイレ内に据え置くことが可能であり、通常は芳香剤による芳香機能を発揮し、所望とするときに内部収容の洗浄剤をトイレ掃除に用いることが可能となる。
【図面の簡単な説明】
【００１０】
【図１】本考案の第１の実施形態に係るトイレ用の芳香剤・洗浄剤用容器の通常状態の様子を示す構成図である。
【図２】本考案の第１の実施形態に係るトイレ用の芳香剤・洗浄剤用容器の芳香剤収容部を回転させた状態の様子を示す構成図である。
【図３】本考案の第１の実施形態に係るトイレ用の芳香剤・洗浄剤用容器の断面図である。
【図４】噴出口の形状を示す図である。
【図５】本考案の第１の実施形態に係るトイレ用の芳香剤・洗浄剤用容器の使用状態を示す図である。
【図６】本考案の第２の実施形態に係るトイレ用の芳香剤・洗浄剤用容器の通常状態の様子を示す構成図である。
【図７】本考案の第２の実施形態に係るトイレ用の芳香剤・洗浄剤用容器の芳香剤収容部を回転させた状態の様子を示す構成図である。
【図８】本考案の第２の実施形態に係るトイレ用の芳香剤・洗浄剤用容器の断面図である。
【図９】本考案の第２の実施形態に係るトイレ用の芳香剤・洗浄剤用容器の使用状態を示す図である。
【図１０】本考案の改良例に係るトイレ用の芳香剤・洗浄剤用容器の構成を示す図である。
【図１１】本考案の更なる改良例に係るトイレ用の芳香剤・洗浄剤用容器の構成を示す図である。
【図１２】本考案の更なる改良例に係るトイレ用の芳香剤・洗浄剤用容器の構成を示す図である。
【図１３】本考案の更なる改良例に係るトイレ用の芳香剤・洗浄剤用容器の構成を示す図である。
【図１４】本考案の更なる改良例に係るトイレ用の芳香剤・洗浄剤用容器の構成を示す図である。
【考案を実施するための形態】
【００１１】
以下、本考案のトイレ用の芳香剤・洗浄剤用容器に係る好適な実施形態について図面を参照しながら説明する。なお、本考案のトイレ用の芳香剤・洗浄剤用容器は、以下の記述に限定されるものではなく、本考案の要旨を逸脱しない範囲において、適宜変更可能であることは勿論である。
【００１２】
（第１の実施形態）
先ず、本考案の第１の実施形態について説明する。
【００１３】
図１、図２には、本考案の第１の実施形態に係るトイレ用の芳香剤・洗浄剤用容器の構成を示し説明する。図１は、通常の状態を示しており、図２は芳香剤収容部をここでは不図示の支柱を中心に回転させた状態を示している。
【００１４】
同図に示されるように、このトイレ用の芳香剤・洗浄剤用容器１は、例えば液体或いは粉末状の洗浄剤を収容する洗浄剤収容部３と、洗浄剤収容部３の側面に設けられ洗浄剤噴出用の噴出口４と、洗浄剤収容部３の上に、洗浄剤収容部３の上面より突出した不図示の支柱を中心に回転自在に配設され、例えば固形の芳香剤を収容する芳香剤収容部２とを備えている。芳香剤収容部２の上面には、芳香用のスリット５が設けられている。更に、洗浄剤収容部３の上面には、洗浄剤補充用の開口部６が設けられている。
【００１５】
このような構成において、芳香剤収容部３は、図１に示される通常の状態から、不図示の支柱を中心に、図２に示されるような状態へと回転することが可能となっている。そして、芳香剤収容部３が回転されたときに、洗浄剤収容部３の上面の洗浄剤補充用の開口部６が露呈するようになっている。
【００１６】
図３には、本考案の第１の実施形態に係るトイレ用の芳香剤・洗浄剤用容器の一部断面図を示し更に説明する。
【００１７】
同図に示されるように、芳香剤収容部２は、洗浄剤収容部３の上面より突出した支柱３０を中心に回転自在となっている。芳香剤収容部２の天板２４には、芳香用のスリット５が設けられている。芳香剤収容部２の側板２１，２２には、それぞれ突起部２１ａ，２２ａが設けられており、更に突起部２１ａ，２２ａの上に段差部２１ｂ，２２ｂが設けられている。底板２３は、芳香剤収容部２の底に装着されるようになっている。即ち、底板２３は、突起部２１ａ，２２ａにより付勢され、その上面の端部が段差部２１ｂ，２２ｂに当接し、固定されるようになっている。つまり、芳香剤収容部２は、底板２３が着脱自在となっており、この底板２３を開けば、芳香剤１０を取り替えることが可能となる。洗浄剤収容部３には、その側面の一部に噴出口４が設けられているが、噴出口４の形状は例えば図４に符号４ａで示されるように、複数の孔が併設された構成となっている。洗浄剤収容部３には液体或いは粉末状の洗浄剤１１が収容される。
【００１８】
図１に示される状態で、通常はトイレ内に据え置くことでトイレ内が芳香される。そして、トイレ掃除の時には、図５に示されるように、噴出口４から洗浄剤を噴出して便器等の掃除を所望とする部分に洗浄剤を吹きかけることができる。
【００１９】
以上説明したように、本考案の第１の実施形態によれば、トイレ内の景観を損ねることなくトイレ内に据え置くことが可能であり、通常は芳香剤による芳香機能を発揮し、所望とするときに内部収容の洗浄剤をトイレ掃除に用いることが可能となる。
【００２０】
（第２の実施形態）
次に本考案の第２の実施形態について説明する。
【００２１】
図６、図７には、本考案の第２の実施形態に係るトイレ用の芳香剤・洗浄剤用容器の構成を示し説明する。図６は、通常の状態を示しており、図７は芳香剤収容部をここでは不図示の支柱を中心に回転させた状態を示している。
【００２２】
同図に示されるように、このトイレ用の芳香剤・洗浄剤用容器５１は、例えば液体或いは粉末状の洗浄剤を収容する洗浄剤収容部５３と、洗浄剤収容部５３の側面に設けられ洗浄剤噴出用の噴出口５４と、洗浄剤収容部５３の上に、当該洗浄剤収容部５３の上面より突出した不図示の支柱を中心に回転自在に配設され、例えば固形の芳香剤を収容する芳香剤収容部５２とを備えている。芳香剤収容部５２の上面には、芳香用のスリット５５が設けられている。更に、洗浄剤収容部５３の上面には、洗浄剤補充用の開口部５６が設けられている。この開口部５６から洗浄剤の補充が可能となっている。
【００２３】
上記芳香剤収容部５２の一側面より延出したカバー部６１は、曲面状となっており、通常の状態では、洗浄剤収容部５３の噴出口５４を被覆するように下方に延びており、芳香剤収容部５２を不図示の支柱を中心に９０度回転させたときには、噴出口５４が露呈するように構成されている。
【００２４】
このような構成において、芳香剤収容部３は、図６に示される通常の状態から、不図示の支柱を中心に、図７に示されるような状態へと回転することが可能となっている。そして、芳香剤収容部５２が回転されたときに、洗浄剤収容部５３の上面の洗浄剤補充用の開口部５６が露呈するようになっている。
【００２５】
図８には、本考案の第２の実施形態に係るトイレ用の芳香剤・洗浄剤用容器の一部断面図を示し更に説明する。
【００２６】
同図に示されるように、芳香剤収容部５２は、洗浄剤収容部５３の上面より突出した支柱９０を中心に回転自在となっている。芳香剤収容部２の側板６２，６３には、それぞれ突起部６２ａ，６３ａが設けられており、更に突起部６２ａ，６３ａの上には段差部６２ｂ，６３ｂが設けられている。底板６５は、芳香剤収容部５２の底に装着されるようになっている。即ち、底板６５は、突起部６２ａ，６３ａにより付勢され、その上面の端部が段差部６２ｂ，６３ｂに当接し、固定されるようになっている。つまり、芳香剤収容部５２は、底板６５が着脱自在となっており、この底板６５を開けば、芳香剤８０を取り替えることが可能となっている。芳香剤収容部５２の天板６４には、芳香用のスリット５５が設けられている。さらに、芳香剤収容部５２の一側面には、カバー部６１が設けられており、当該カバー部６１は、洗浄剤収容部５３の噴出口５４を通常の状態で被覆するように下方に延びており、芳香剤収容部５２を不図示の支柱を中心に９０度回転させたときに噴出口５４が露呈するように構成されている。
【００２７】
洗浄剤収容部５３の側面に設けられた噴出口５４は、詳細には、筒状保持部７０と、当該筒状保持部７０の中に配設された弾性部材としてのバネ７１と、当該弾性部材の付勢力により通常の状態では筒状保持部７０から突出する筒状部材７２とからなる。このような構成の下、筒状部材７２は、外力がかかると内部に引っ込むように構成されており、芳香剤収容部５２を回転させるときに、カバー部６１が当たっても、筒状部材７２は、筒状保持部７０の内部に引っ込むため、その回転を阻害することもない。
【００２８】
図６に示される状態で、通常はトイレ内に据え置くことでトイレ内が芳香される。そして、トイレ掃除の時には、図９に示されるように、芳香剤収容部５２を支柱９０を中心として略９０度回転させて、噴出口５４を露呈させ、当該噴出口５４から洗浄剤を噴出して便器等の掃除を所望とする部分に洗浄剤を吹きかけることができる。
【００２９】
以上説明したように、本考案の第２の実施形態によれば、第１の実施形態の効果に加えて、噴出口５４を通常状態で被覆するカバー部６１を備えているので、より美観が高まりトイレ内の景観を損なわなくなる。
【００３０】
以上、本考案の第１及び第２の実施形態について説明したが、本考案はこれに限定されることなく、その趣旨を逸脱しない範囲で種々の改良・変更が可能である。
【００３１】
例えば、図１０乃至図１４に示されるように構成することもできる。
【００３２】
即ち、図１０の構成では、洗浄剤収容部１０３と、当該洗浄剤収容部１０３の上面より突出した支柱１０６を中心に回転自在な芳香剤収容部１０２を備えている。洗浄剤収容部１０３の側面には噴出口１０４が配設されており、芳香剤収容部１０２の上方には芳香用のスリット１０５が設けられている。この構成では、洗浄剤収容部１０３と芳香剤収容部１０２を正面及び背面から見たときに、一つの略楕円形となるように形作られている。
【００３３】
図１１の構成では、洗浄剤収容部１１３と、当該洗浄剤収容部１１３の上面より突出した支柱１１６を中心に回転自在な芳香剤収容部１１２を備えている。洗浄剤収容部１１３の側面には噴出口１１４が配設されており、芳香剤収容部１１２の上方には芳香用のスリット１１５が設けられている。この構成では、洗浄剤収容部１１３が、略楕円を上方及び下方で直線により分断した形状をしており、芳香剤収容部１１２が、略楕円を下方で直線により分断した形状をしている。
【００３４】
図１２の構成では、洗浄剤収容部１２３と、当該洗浄剤収容部１２３の上面より突出した支柱１２６を中心に回転自在な芳香剤収容部１２２を備えている。洗浄剤収容部１２３の側面には噴出口１２４が配設されており、芳香剤収容部１２２の上方には芳香用のスリット１２５が設けられている。この構成では、洗浄剤収容部１２３の正面及び背面、両側面が台形になっており、芳香剤収容部１２２の正面及び背面が台形、両側面が三角形になっている。芳香剤収容部１１２の正面及び背面の上辺は重なっている。
【００３５】
図１３の構成では、洗浄剤収容部１３３と、当該洗浄剤収容部１３３の上面より突出した支柱１３６を中心に回転自在な芳香剤収容部１３２を備えている。洗浄剤収容部１３３の側面には噴出口１３４が配設されており、芳香剤収容部１３２の上方には芳香用のスリット１３５が設けられている。この構成では、芳香剤収容部１３２と洗浄剤収容部１３３が重なって、一つの略三角錐となるように形作られている。
【００３６】
図１４の構成では、洗浄剤収容部１４３と、当該洗浄剤収容部１４３の上面より突出した支柱１４６を中心に回転自在な芳香剤収容部１４２を備えている。洗浄剤収容部１４３の側面には噴出口１４４が配設されており、芳香剤収容部１４２の上方には芳香用のスリット１４５が設けられている。この構成では、洗浄剤収容部１４３は、略直方体であるが下方の四隅が所定の曲率で曲げられ角がとられている。芳香剤収容部１４２は、正面及び背面から見た時に略半円と見えるように構成されている。芳香剤収容部１４２の正面及び背面の上方一部は重なっている。また、芳香剤収容部１４２の側面は上方に向かうに従って間隔が狭まるような形状となっている。
【符号の説明】
【００３７】
１  トイレ用の芳香剤・洗浄剤用容器
２  芳香剤収容部
３  洗浄剤収容部
４  噴出口
５  スリット
６  開口部
１０  芳香剤
１１  洗浄剤
２１  側板
２１ａ  突起部
２１ｂ  段差部
２２  側板
２２ａ  突起部
２２ｂ  段差部
２３  底板
２４  天板
３０  支柱
５１  トイレ用の芳香剤・洗浄剤用容器
５２  芳香剤収容部
５３  洗浄剤収容部
５４  噴出口
５５  スリット
５６  開口部
６１  カバー部
６２  側板
６２ａ  突起部
６２ｂ  段差部
６３  側板
６３ａ  突起部
６３ｂ  段差部
６４  天板
６５  底板
７０  筒状保持部
７１  バネ
７２  筒状部材
８０  芳香剤
８１  洗浄剤
９０  支柱
【図１】
0003161552.tif 000003
【図２】
0003161552.tif 000004
【図３】
0003161552.tif 000005
【図４】
0003161552.tif 000006
【図５】
0003161552.tif 000007
【図６】
0003161552.tif 000008
【図７】
0003161552.tif 000009
【図８】
0003161552.tif 000010
【図９】
0003161552.tif 000011
【図１０】
0003161552.tif 000012
【図１１】
0003161552.tif 000013
【図１２】
0003161552.tif 000014
【図１３】
0003161552.tif 000015
【図１４】
0003161552.tif 000016
【手続補正書】
【提出日】平成22年6月2日(2010.6.2)
【手続補正１】
【補正対象書類名】実用新案登録請求の範囲
【補正対象項目名】全文
【補正方法】変更
【補正の内容】
【実用新案登録請求の範囲】
【請求項１】
洗浄剤を収容する洗浄剤収容部と、
上記洗浄剤収容部の側面に設けられた洗浄剤噴出用の噴出口と、
上記洗浄剤収容部の上に、上記洗浄剤収容部の上面より突出した支柱を中心に回転自在に配設され、芳香剤を収容する芳香剤収容部とを備えたこと
を特徴とするトイレ用の芳香剤・洗浄剤用容器。
【請求項２】
上記芳香剤収容部の一側面は曲面となっており、更に上記洗浄剤収容部の上記噴出口を被覆するように下方に延びており、上記芳香剤収容部を上記支柱を中心に９０度回転させたときに、当該噴出口が露呈するよう構成されていること
を特徴とする請求項１に記載のトイレ用の芳香剤・洗浄剤用容器。
【請求項３】
上記噴出口は、筒状保持部と、当該筒状保持部の中に配設された弾性部材と、当該弾性部材の付勢力により筒状保持部から突出する筒状部材とからなること
を特徴とする請求項１に記載のトイレ用の芳香剤・洗浄剤用容器。
【請求項４】
上記洗浄剤収容部の上面には、洗浄剤補充用の開口部が設けられていること
を特徴とする請求項１に記載のトイレ用の芳香剤・洗浄剤用容器。
【請求項５】
上記洗浄剤は粉末状或いは液体状であり、
上記芳香剤は固形状であること
を特徴とする請求項１に記載のトイレ用の芳香剤・洗浄剤用容器。
【請求項６】
洗浄剤を収容する洗浄剤収容部と、
上記洗浄剤収容部の側面に設けられた洗浄剤噴出用の噴出口と、
上記洗浄剤収容部の上に、上記洗浄剤収容部の上面より突出した支柱を中心に回転自在に配設され、芳香剤を収容する芳香剤収容部とを備え、
上記芳香剤収容部の一側面は曲面となっており、更に上記洗浄剤収容部の上記噴出口を被覆するように下方に延びており、上記芳香剤収容部を上記支柱を中心に９０度回転させたときに、当該噴出口が露呈するよう構成されており、
上記噴出口は、筒状保持部と、当該筒状保持部の中に配設された弾性部材と、当該弾性部材の付勢力により筒状保持部から突出する筒状部材とからなり、
上記洗浄剤収容部の上面には、洗浄剤補充用の開口部が設けられていること
を特徴とするトイレ用の芳香剤・洗浄剤用容器。